(57)【要約】【課題】ストロー先端部分は従前公知のストローと同様な斜めに傾斜する傾斜部として、この先端部分に特別に細かい構成の加工をしなくても、飲料容器の刺し込み孔のフイルム部分が異物として飲料内に落下することがないようにした新規な飲料用ストロー付飲料容器及び飲料用ストローを提供する。【解決手段】飲料用ストロー１２の先端部１３を先細りのテーパー形状に構成してあり、該先端部１３の先端を斜めに形成して先端傾斜部１４としてあり、該先端部１３の先端傾斜部１４の直径外径寸法を飲料容器１のストロー差し込み孔３の直径寸法より小さくしてある。【選択図】図５
2011168340.tif 000002
【特許請求の範囲】
【請求項１】
積層フイルムからなる略円形状のストロー刺込孔を有する飲料用ストロー付飲料容器であって、
前記ストローは、
略円筒形状を有する刺し込み側の先端部が先細りのテーパー形状に構成され、
当該先端部の開口端面が円筒軸に垂直な面に対して角度をなすように形成されており、
前記先端部の開口端の外周径Ｌ２が前記ストロー刺込孔の直径Ｄよりも小さい寸法であり、かつ、
前記先端部の開口端を円筒軸に垂直な面に投射した円の外周径Ｂが前記ストロー刺込孔の直径Ｄよりも小さい寸法であることを特徴とする飲料用ストロー付飲料容器。
【請求項２】
前記先端部開口端の投射円の外周径Ｂと前記ストロー刺込孔の直径Ｄとが、
Ｄ−Ｂ≧１．７ｍｍ
となるように前記ストローが構成されていることを特徴とする請求項１に記載のストロー付飲料容器。
【請求項３】
前記先端部開口端の外周径Ｌ２と前記ストロー刺込孔の直径Ｄとが、
Ｄ−Ｌ２≧０．２５ｍｍ
となるように前記ストローが構成されていることを特徴とする請求項１又は２に記載のストロー付飲料容器。
【請求項４】
前記ストローは、吸い込み側の外ストローと刺し込み側の内ストローからなる２段式伸縮ストローであり、
前記外ストローの外径Ｘと前記ストロー刺込孔の直径Ｄとが、
Ｄ−Ｘ≦０．２ｍｍ
となっていることにより、前記ストローの外ストロー部分まで飲料容器内に刺し込んだ状態で、飲料容器内が気密に保たれることを特徴とする請求項１から３のいずれか１項に記載のストロー付飲料容器。
【請求項５】
前記ストローの、前記先端部開口端面の長軸及び円筒軸に沿った断面において、
前記先端部開口端面の長軸と、テーパー形状に構成された部分がなす２断面線のうち長い方の断面線とがなす角度αが
α＝４６〜４９°
となるように前記ストローが構成されていることを特徴とする請求項１から４のいずれか１項に記載のストロー付飲料容器。
【請求項６】
積層フイルムからなる略円形状のストロー刺込孔を有する飲料容器に用いられる飲料用ストローであって、
略円筒形状を有する刺し込み側の先端部が先細りのテーパー形状に構成され、
当該先端部の開口端面が円筒軸に垂直な面に対して角度をなすように形成されており、
前記先端部の開口端の外周径Ｌ２が前記ストロー刺込孔の直径Ｄよりも小さい寸法であり、かつ、
前記先端部の開口端を円筒軸に垂直な面に投射した円の外周径Ｂが前記ストロー刺込孔の直径Ｄよりも小さい寸法であることを特徴とする飲料用ストロー。
【請求項７】
前記先端部開口端の投射円の外周径Ｂと前記飲料容器のストロー刺込孔の直径Ｄとが、
Ｄ−Ｂ≧１．７ｍｍ
となるように前記ストローが構成されていることを特徴とする請求項６に記載の飲料用ストロー。
【請求項８】
前記先端部開口端の外周径Ｌ２と前記飲料容器のストロー刺込孔の直径Ｄとが、
Ｄ−Ｌ２≧０．２５ｍｍ
となるように前記ストローが構成されていることを特徴とする請求項６又は７に記載の飲料用ストロー。
【請求項９】
前記ストローは、吸い込み側の外ストローと刺し込み側の内ストローからなる２段式伸縮ストローであり、
前記外ストローの外径Ｘと前記ストロー刺込孔の直径Ｄとが、
Ｄ−Ｘ≦０．２ｍｍ
となっていることにより、前記ストローの外ストロー部分まで飲料容器内に刺し込んだ状態で、飲料容器内が気密に保たれることを特徴とする請求項６から８のいずれか１項に記載の飲料用ストロー。
【請求項１０】
前記先端部開口端面の長軸及び円筒軸に沿った断面において、
前記先端部開口端面の長軸と、テーパー形状に構成された部分がなす２断面線のうち長い方の断面線とがなす角度αが
α＝４６〜４９°
となるように前記ストローが構成されていることを特徴とする請求項６から９のいずれか１項に記載の飲料用ストロー。
【発明の詳細な説明】
【技術分野】
【０００１】
本発明は、飲料用ストロー付の飲料容器及び飲料用ストローに関する。
【背景技術】
【０００２】
市販の紙製飲料容器には、容器側面または裏面に飲料用ストローが付着され、容器内飲料を飲用する際には、付着のストローを容器側面又は裏面から外して、これを紙製飲料容器の上面に設けたストロー刺し込み孔に刺し込み、内容飲料を飲用している。
図６乃至図９に、従来の飲料用ストローと飲料容器の刺し込み孔との関係を示してあり、飲料用ストロー先端の直径と飲料容器の刺し込み孔の直径が略等しく、図６及び図８，９に示すように飲料用ストローを垂直方向から刺し込んだり、図７に示すように飲料用ストローを斜め方向より刺し込み孔に刺し込むと、飲料容器上面の刺し込み孔のフイルム部分が図９に示すように飲料容器上面から切り離されて、異物として飲料内に落下することがあった。
この刺し込み孔の切断フイルム部分の飲料内への落下は、飲料内への異物の混入という衛生上好ましくないという課題がある。さらに、飲料用ストローで容器内飲料を吸入する際に、該異物を飲用してしまうという課題がある。
【０００３】
上記飲料容器上面の刺し込み孔のフイルム部分が異物として飲料内に落下しても、この異物を飲用することがないようにした飲料用ストローが知られている（例えば特許文献１）。
また、飲料用ストローを飲料容器の上面の刺し込み孔に刺し込んでも、この刺し込み孔のフイルム部分が異物として飲料内に落下することがないようにした飲料用ストローも知られている（例えば特許文献２）。
【先行技術文献】
【特許文献】
【０００４】
【特許文献１】特開２００２‐２５３４１５号公報
【特許文献２】特開２００４‐２７５５９６号公報
【発明の概要】
【発明が解決しようとする課題】
【０００５】
上記特許文献１の先行例は、ストロー先端に十字形の管内壁を設けて、異物の吸引を防止している。また、ストローの先端を尖塔状又は円錐状に形成し、この尖塔状又は円錐状の尖塔面又は円錐面に多数の小孔を形成してある。
次に，上記特許文献２の先行例は、飲料用ストローの先端の傾斜した傾斜面に、種々の構成からなる切断防止部を形成してある。
上記何れの先行例においても、飲料用ストローを飲料容器の上面の刺し込み孔に刺し込んでもこの刺し込み孔のフイルム部分が異物として飲料内に落下することがないようにする効果がある。
しかし、何れにしてもストロー先端部分の細かい構成から、この細かい構成の加工が必要であるという課題がある。
本発明は、上記課題に鑑み、ストロー先端部分は従前公知のストローと同様な斜めに傾斜する傾斜部として、この先端部分に特別に細かい構成の加工をしなくても、飲料容器の刺し込み孔のフイルム部分が異物として飲料内に落下することがないようにした新規な飲料用ストロー付飲料容器及び飲料用ストローを提供するものである。
【課題を解決するための手段】
【０００６】
そのために、本発明飲料用ストロー付飲料容器は、飲料用ストローの先端部を先細りのテーパー形状に構成してあり、該先端部の先端を斜めに形成して先端傾斜部としてあり、該先端部の先端傾斜部の直径外径寸法を飲料容器のストロー差し込み孔の直径寸法より小さくしてある。
上記先端部の先端の直径外径寸法Ｂと飲料容器のストロー差し込み孔の直径寸法Ｄとの差、即ちＤ−Ｂ≧１．７ｍｍとするとよい。
また、上記先端部の先端傾斜部の長手方向の直径外径寸法Ｌ２と上記飲料容器のストロー差し込み孔の直径寸法Ｄとの差、即ちＤ−Ｌ２≧０．２５ｍｍとするとよい。
【０００７】
また、本発明飲料用ストローは、飲料用ストローの先端を先細りのテーパー形状に構成してあり、該先端部の先端を斜めに形成して先端傾斜部としてある。
上記先端部の先端傾斜部の直径外径寸法を、上記飲料用ストローが付着する飲料容器のストロー差し込み孔の直径寸法より小さくしてある。
上記先端部の先端の直径外径寸法Ｂと、上記飲料用ストローが付着する飲料容器のストロー差し込み孔の直径外径寸法Ｄとの差、即ちＤ−Ｂ≧１．７ｍｍとするとよい。
上記先端部の先端傾斜部の長手方向の直径外径寸法Ｌ２と上記飲料容器のストロー差し込み孔の直径寸法Ｄとの差、即ちＤ−Ｌ２≧０．２５ｍｍとするとよい。
【発明の効果】
【０００８】
本発明の飲料用ストロー付飲料容器は、飲料用ストローの先端部を先細りのテーパー形状に構成してあり、該先端部の先端を斜めに形成して先端傾斜部としてあり、該先端部の先端傾斜部の直径外径寸法を飲料容器のストロー差し込み孔の直径寸法より小さくしてあるから、飲料用ストローを飲料容器のストロー刺し込み孔に刺し込む際、ストローの先端傾斜部の先端が該ストロー刺し込み孔の縁より必ず内側に位置して差し込まれるから、切断された切断縁が、飲料容器上面に繋がったままの状態で切断され、刺し込み孔のフイルム部分が飲料容器の上面から切り離されることなく、異物として飲料内に落下することはない。
そして、本発明では飲料用ストローの先端部を先細りのテーパー形状に構成するから、該先端部の加工に細かい加工が必要なく、簡単なテーパー加工でよいという効果がある。
【０００９】
また、本発明飲料用ストローは、飲料用ストローの先端を先細りのテーパー形状に構成してあり、該先端部の先端を斜めに形成して先端傾斜部としてあるから、この飲料用ストローを飲料容器のストロー刺し込み孔に刺し込む際、ストローの先端傾斜部の先端が該ストロー刺し込み孔の縁より必ず内側に位置して差し込まれるから、切断された切断縁が、飲料容器上面に繋がったままの状態で切断され、刺し込み孔のフイルム部分が飲料容器の上面から切り離されることなく、異物として飲料内に落下することはない。
そして、本発明では飲料用ストローの先端部を先細りのテーパー形状に構成するから、該先端部の加工に細かい加工が必要なく、簡単なテーパー加工でよいという効果がある。
【図面の簡単な説明】
【００１０】
【図１】本発明飲料用ストロー付飲料容器の斜面図。
【図２】本発明飲料用ストローの平面図。
【図３】本発明飲料用ストローの要部の拡大図。
【図４】本発明飲料用ストローを飲料容器の刺し込み孔に刺し込む直前の状態を示す説明図。
【図５】本発明飲料用ストローを飲料容器の刺し込み孔に刺し込んだ状態を示す説明図。
【図６】従前の飲料用ストローと飲料容器であって飲料用ストローを刺し込む前に垂直方向より刺し込む状態の説明図。
【図７】従前の飲料用ストローと飲料容器であって飲料用ストローを刺し込み孔に斜め方向より刺し込む状態の説明図。
【図８】図６に示す状態の飲料用ストローを飲料容器の刺し込み孔に刺し込む直前の状態の説明図。
【図９】図６に示す状態の飲料用ストローを飲料容器の刺し込み孔に刺し込んだ状態の説明図。
【発明を実施するための形態】
【００１１】
以下図面に示した実施例により本発明の詳細を説明する。
図中符号１が紙製飲料容器で、その上面２にストロー刺し込み孔３が形成してある。該上面２は、その上面からＰＥ層４、印刷層５、原紙層６、ＬＤＰＥ層７、Ａｌ層８、接着性樹脂層９及びＬＤＰＥ層１０の積層構造からなっており、ストロー刺し込み孔３の部分は原紙層６と印刷層５が切除され、最上層のＰＥ層４が、ＬＤＰＥ層の上層に接着されている。そして飲料容器１の側壁１１にフイルム包装された飲料用ストロー１２が付着してある。
【００１２】
図示した実施例では、この飲料用ストロー１２に２段式の伸縮ストローを示したが、この飲料用ストロー１２は一本物ストローであっても３段式以上の伸縮ストローであってもよい。
本発明では、この飲料用ストロー１２の先端部１３を先細りのテーパー形状に構成してあり、この先端部１３の先端を斜めに形成して先端傾斜部１４としてある。
そして本発明では、該先端部１３の先端傾斜部１４の直径外径寸法Ｂをストロー刺し込み孔３の直径寸法Ｄより小さくしてある。
【００１３】
図６乃至図９に従前の飲料用ストロー付飲料容器とその説明図が示してあり、各部分については、図１乃至図５に示した符号と同一符号を付してある。
従前市販されている紙製飲料容器１のストロー刺し込み孔３は、その直径寸法が６．２ｍｍのものが多く、この容器に対応して出願人は以下の規格にて２段式伸縮ストローを提供していた。
１．  外ストロー直径外径  ６．０ｍｍ
２．  内ストロー直径外径  ４．８ｍｍ（肉厚０．２８ｍｍ）
３．  先端傾斜部のカット角度α  ５０度
４．  カット斜めＬ２寸法  ６．２７ｍｍ
この規格品にあっては、飲料用ストロー１２を容器１の上面２に垂直方向に刺す際は、内ストローの直径外径が４．８ｍｍのため、刺し込み孔３の直径寸法６．２ｍｍより細いため、比較的先端傾斜部１４の先端を刺し込み孔３の縁より内側、中央よりに刺すことができ、刺し込み孔３のフイルム部分が異物として落下することは少ないが、図７に示すように飲料用ストロー１２を斜めから刺すときは、カット斜めＬ２寸法が６．２７ｍｍと刺し込み孔３の孔径６．２ｍｍより大きいから、突き刺し強度が必要となり、刺し込み孔３のフイルム部分が異物として落下する現象が発生していた。
【００１４】
上記従来品に比し、本発明の飲料用ストローの規格は次の通りである。
１．  外ストロー直径外径  ６．０ｍｍ
２．  内ストロー直径外径  ４．８ｍｍ（肉厚０．２８ｍｍ）
先端傾斜部の直径外径  ４．２〜４．４ｍｍ
３．  先端傾斜部のカット角度α  ４６〜４９度
４．  カット斜めＬ２寸法  ５．６〜５．９ｍｍ
本発明飲料用ストローではその先端部１３をテーパー形状にし、さらにその先端を斜めに形成して、先端傾斜部１４としたから、従前製品に比し、容器１の刺し込み孔３の中央近くに突き刺しやすくした。さらに、斜めから刺し込むときでも刺し込み孔３の孔径より細くしてあるから、刺し込み孔３の円周部端のフイルム部を切断することがなく、落下物になることはない。
本発明で斜め刺しを実施した結果フイルム切れ結果は０／１５０本であった。
従来品での切れは６／１５０本であった。
【００１５】
また、先端部のカット角度について、現状５０度としているが、先端部を絞ったことから突き刺し強度を低下させないため角度を４６〜４９度が望ましい条件となった。先端部を細くしたことにより飲み口での吸引については、現状品ストローと全く変化なく使用できる。
参考として、出願人は現行品と本発明品サンプルでストロー突き刺し強度を検証した。
測定方法は、プッシュプルゲージにてストローを突き刺して１００ｍｍ／ｍｉｎのスピードで、６．２ｍｍのストロー刺し込み孔に突き刺して貫通するまでの強度（Ｎ）を測定した。下記の強度はサンプル数２０個における平均値である。
１．  現行品ストロー  ９．０Ｎ
２．  本発明品ストロー  ６．５Ｎ
【符号の説明】
【００１６】
１  飲料容器
２  上面
３  ストロー刺し込み孔
４  ＰＥ層
５  印刷層
６  原紙層
７  ＬＤＰＥ層
８  Ａｌ層
９  接着性樹脂層
１０  ＬＤＰＥ層
１１  側壁
１２  飲料用ストロー
１３  先端部
１４  先端傾斜部
【図１】
2011168340.tif 000003
【図２】
2011168340.tif 000004
【図３】
2011168340.tif 000005
【図４】
2011168340.tif 000006
【図５】
2011168340.tif 000007
【図６】
2011168340.tif 000008
【図７】
2011168340.tif 000009
【図８】
2011168340.tif 000010
【図９】
2011168340.tif 000011